(57)【要約】【課題】  床暖房装置の施工を簡易に行え、しかも、広範囲の効率的な床暖房を行える床暖房装置を実現する。【解決手段】  本床暖房装置は部屋内の床下に敷設され、温水が循環される温水配管１０を設けた床暖房マット１と、上記温水を加熱する為の加熱装置２とを備える。加熱装置２は、電磁誘導加熱方式とし床暖房マット１を有する部屋に設置され、温水配管１０経路内に設けて温水を加熱する為の熱交換ユニット３と、この熱交換ユニット３に備える熱交換プレート３２を電磁誘導加熱する為のＩＨユニット４とを備える。  これにより、床暖房マット１には外部熱源からの温水供給を必要とせず、温水供給の為の配管設備や、部屋から外部熱源への制御信号を送る為の配線が不要となる。従って、床暖房装置の施工が簡易に行える。また、加熱装置２を電磁誘導加熱方式としても、床暖房マット１において温水を温水配管１０内に循環させることで、広範囲の床暖房が行える。【選択図】  図３
2005037045.tif 000002
【特許請求の範囲】
【請求項１】
温水等の熱媒体が循環される循環経路を設けた床暖房マットを部屋内の床に敷設した床暖房装置において、
上記熱媒体を加熱するための加熱装置は、電磁誘導加熱方式とし上記床暖房マットを有する部屋に設置され、上記循環経路内に設けて熱媒体を加熱するための熱交換体と、この熱交換体を電磁誘導加熱するための電磁誘導体とを備えることを特徴とする床暖房装置。
【請求項２】
請求項１に記載の床暖房装置において、
熱媒体を循環させる循環器を上記循環経路内に設けると共に、この循環経路を床暖房マット内での閉回路とすることを特徴とする床暖房装置。
【請求項３】
請求項１または２に記載の床暖房装置において、
床下に受電コイルを配置すると共に床上に外部電源に接続される送信コイルを上記受電コイルと対向配置し、この受電コイルに発生した誘導起電力により床下側に電力供給を行う給電装置を備えることを特徴とする床暖房装置。
【請求項４】
請求項１ないし３のいずれかに記載の床暖房装置において、
上記熱交換体を備える熱交換ユニットと、上記電磁誘導体を備える電磁誘導ユニットとは、互いに無線で通信する通信機能を備えることを特徴とする床暖房装置。
【請求項５】
請求項１ないし４のいずれかに記載の床暖房装置において、
上記熱交換部における出水側の熱媒体の出水温度を検出する出水温センサと、上記熱交換体を設けた循環経路の熱交換部における入水側の熱媒体の入水温度、床暖房される部屋の床の床温度、または床暖房される部屋の室温の少なくとも一つを検出する温度センサとを設けると共に、
上記温度センサの検出温度を監視して使用者の設定した床暖房設定温度等の目標温度に略等しくなるように、電磁誘導体の出力または温水の流量を制御する制御手段を備えることを特徴とする床暖房装置。
【発明の詳細な説明】
【技術分野】
【０００１】
本発明は、温水等の熱媒体が循環される循環経路を設けた床暖房マットを部屋内の床に敷設した床暖房装置に関し、特に、上記熱媒体を加熱するための加熱装置として電磁誘導加熱方式を採用するものに関する。
【背景技術】
【０００２】
従来の床暖房装置としては、例えば、図７に示すように、温水が循環される温水配管７１０を設けた床暖房マット７０１を部屋の床下に敷設し、この床暖房マット７０１と屋外に設置した温水給湯用熱源機７０２（外部熱源）とを温水供給配管７２０で接続し、屋外の温水給湯用熱源機７０２から屋内の床暖房マット７０１に温水を供給して床暖房を行うものがある（特許文献１）。
【０００３】
また、他の従来の床暖房装置として、電磁誘導加熱方式のものがあり、このものは、図８に示すように、表面板８１１と加熱板８１２とを床材８１０とし、この床材８１０をコイル８１４と誘導体８１５とからなる電磁誘導加熱装置８１６を内蔵したケース体８１３に一体形成し、このケース体８１３内の電磁誘導加熱装置８１６により上記加熱板８１２を電磁誘導加熱して床暖房を行うものがある（特許文献２）。
【特許文献１】特開平９−１１２９３２号公報
【特許文献２】特開平７−１４５９５２号公報
【発明の開示】
【発明が解決しようとする課題】
【０００４】
図７に示した従来の床暖房装置では、屋外にある温水給湯用熱源機７０２から屋内の床暖房マット７０１にまで温水を導くための温水供給配管７２０や、床暖房マット７０１のある部屋に設置されたリモコン等の操作装置７０３から屋外の温水給湯用熱源機７０２に対して制御信号を送るための配線７３０が必要であり、これら温水供給配管７２０配管や配線７３０等の設置施工に非常に手間が掛かる問題があった。また、屋外の温水給湯用熱源機７０２から床暖房マット７０１のある部屋にたどり着くまでの距離があるため、温水供給配管７２０から放熱し、多くの熱ロスが発生してしまう問題があった。
【０００５】
一方、図８に示した他の従来の床暖房装置では、電磁誘導加熱のみによる床暖房とするため、加熱板８１２やコイル８１４を床一面に敷設させる必要があり、コイル８１４を備える電磁誘導加熱装置８１６としては、非常に大型化し、且つ大出力を要し消費電力が非常に大きくなる。そして、この電磁誘導加熱装置８１６の大型化を避けるためには、加熱面積を小さくせざるを得ず、結局のところ、広範囲の効率的な床暖房を実現するのが困難であった。
【０００６】
本発明は、上記事情に鑑みてなされたものであり、床暖房装置の施工を簡易に行え、しかも、広範囲の効率的な床暖房を行える床暖房装置を実現するものである。
【課題を解決するための手段】
【０００７】
（１）請求項１に係る発明の床暖房装置は、温水等の熱媒体が循環される循環経路を設けた床暖房マットを部屋内の床に敷設した床暖房装置において、上記熱媒体を加熱するための加熱装置は、電磁誘導加熱方式とし上記床暖房マットを有する部屋に設置され、上記循環経路内に設けて熱媒体を加熱するための熱交換体と、この熱交換体を電磁誘導加熱するための電磁誘導体とを備えることを特徴とする。
【０００８】
上記手段により、加熱装置が床暖房マットを有する部屋に設置され、その電磁誘導体により電磁誘導加熱される熱交換体によって循環経路内の熱媒体を加熱するようにしたので、床暖房マットには外部熱源からの熱媒体の供給を必要とせず、熱媒体供給のための配管設備や、部屋から外部熱源への制御信号を送るための配線が不要となる。そして、加熱装置を電磁誘導加熱方式としても、熱交換体によって加熱された熱媒体を循環経路内に循環させることで、広範囲の床暖房が行える。
また、熱媒体供給のための配管設備が不要となるので、この配管設備での無駄な放熱を無くすことができる。
【０００９】
さらに、加熱装置を熱交換体と電磁誘導体とに分離できる電磁誘導加熱方式とするので、熱交換体を床暖房マットに設置する一方、電磁誘導体を床暖房の必要なときだけ熱交換体と対向するように配置させることができる。
そして、床暖房マットと共に熱交換体を床下に設置することも、床上に設置することも可能となる。
【００１０】
（２）請求項２に係る発明の床暖房装置は、上記床暖房装置（請求項１）において、熱媒体を循環させる循環器を上記循環経路内に設けると共に、この循環経路を床暖房マット内での閉回路とすることを特徴とする。
【００１１】
これにより、循環経路を床暖房マット内での閉回路とするので、熱媒体は循環経路内を循環するのみとなる。従って、循環器は、熱媒体を循環経路内に循環させるだけの小出力で済み、循環器にかかる負荷が軽減される。
また、循環経路を床暖房マット内での閉回路とするので、熱媒体からの放熱が全て床暖房マットからの床暖房に活用される。
【００１２】
（３）請求項３に係る発明の床暖房装置は、上記床暖房装置（請求項１または２）において、床下に受電コイルを配置すると共に床上に外部電源に接続される送信コイルを上記受電コイルと対向配置し、この受電コイルに発生した誘導起電力により床下側に電力供給を行う給電装置を備えることを特徴とする。
これにより、床下側には、新たに外部電源を設置しなくてよい。
【００１３】
（４）請求項４に係る発明の床暖房装置は、上記床暖房装置（請求項１ないし３）において、上記熱交換体を備える熱交換ユニットと、上記電磁誘導体を備える電磁誘導ユニットとは、互いに無線で通信する通信機能を備えることを特徴とする。
これにより、熱交換ユニットと電磁誘導ユニットとを配線で接続しなくてもよい。
【００１４】
（５）請求項５に係る発明の床暖房装置は、上記床暖房装置（請求項１ないし４）において、上記熱交換部における出水側の熱媒体の出水温度を検出する出水温センサと、上記熱交換体を設けた循環経路の熱交換部における入水側の熱媒体の入水温度、床暖房される部屋の床の床温度、または床暖房される部屋の室温の少なくとも一つを検出する温度センサとを設けると共に、上記温度センサの検出温度を監視して使用者の設定した床暖房設定温度等の目標温度に略等しくなるように、電磁誘導体の出力または温水の流量を制御する制御手段を備えることを特徴とする。
【００１５】
これにより、上記制御手段によって、出水温度と、入水温度、床温度または室温のいずれか１つ、いずれか２つ、あるいはすべての温度とを監視して、使用者が設定した床暖房設定温度となる制御を行うことができ、ひいては床面温度を床暖房設定温度に維持させることができる。ここで、上記目標温度とは、使用者の設定した床暖房設定温度そのものの他に、この床暖房設定温度から一定温度差のある設定温度等をいう。
【００１６】
また、上記制御手段は、出水温度を監視することにより、熱媒体の異常温度上昇が検出されると、電磁誘導体の出力または温水の流量を制御して床面の異常温度上昇を未然に防ぐことができる。
【発明の効果】
【００１７】
（１）請求項１に係る発明によれば、加熱装置を電磁誘導加熱方式とし床暖房マットを有する部屋に設置するので、外部熱源との配管設備や配線の施工が不要となり、部屋内での施工となるから、床暖房装置の施工を簡易に行え、また、既設住宅にも後付けで床暖房装置の施工を簡易に行うことができる。そして、加熱装置を電磁誘導加熱方式としても、熱交換体によって加熱された熱媒体を循環経路内に循環させることで、広範囲の効率的な床暖房を容易に実現することができる。
また、熱媒体供給のための配管設備での無駄な放熱を無くすことができ、熱効率のよい床暖房を実現することができる。
【００１８】
さらに、加熱装置を熱交換体と電磁誘導体とに分離できる電磁誘導加熱方式とするので、冬季には、電磁誘導体を床上の所定位置に置くことで床暖房運転が直ちに行え、そして、夏季には、電磁誘導体を片付けて部屋内を見栄えよく、しかも広く有効に使用することができる。
【００１９】
（２）請求項２に係る発明によれば、循環経路を床暖房マット内での閉回路とすることにより、循環器にかかる負荷が軽減されるので、循環器の運転消費電力を抑えることができ、しかも、循環器自体を小型化することができる。
また、熱媒体からの放熱は全て床暖房マットからの床暖房に活用され無駄な放熱を無くすことができ、熱効率のよい床暖房を実現できる。
【００２０】
しかも、無駄な放熱を無くすことにより、熱交換体を電磁誘導加熱するための電磁誘導体は、小出力で済み、その運転消費電力を抑えることができ、且つ電磁誘導体自体を小型化することができる。
【００２１】
（３）請求項３に係る発明によれば、床上の送信コイルと床下の受電コイルとにより床下側に電力供給を行う給電装置を備えるので、床下側では外部電源が不要となり、床暖房マットや熱交換体を床下に設置する場合の施工が簡単となる。
【００２２】
（４）請求項４に係る発明によれば、熱交換ユニットと電磁誘導ユニットとは互いに無線で通信する通信機能を備えるので、熱交換ユニットと電磁誘導ユニットとの間の配線が不要となり、熱交換ユニットを床下に設置する場合の施工が簡単となる。
【００２３】
（５）請求項５に係る発明によれば、制御手段によって温度センサの検出温度を監視して使用者の設定した床暖房設定温度等の目標温度に略等しくなるように制御するので、使用者による所望の床暖房設定温度に確実に維持・調節することができる。しかも、上記制御手段は、出水温度を監視し、熱媒体の異常温度上昇が検出されると電磁誘導体の出力または温水の流量を制御して床面の異常温度上昇を未然に防ぐことができ、万一でも使用者が低温火傷を負うことがない。
【発明を実施するための最良の形態】
【００２４】
以下に、本発明の実施の形態について図面を参照しながら説明する。
図１〜図４には、本発明の実施の形態による床暖房装置を示す。
図１は、この床暖房装置の概略構成を示す。図１に示すように、この床暖房装置は、温水（熱媒体）が循環される温水配管１０（循環経路）を埋設した床暖房マット１と、上記温水を加熱するための加熱装置２とを備える。
【００２５】
上記床暖房マット１は、矩形状に形成されており、洋部屋のフローリング等の床板Ｆ下面に敷設され、その内部に埋設する温水配管１０が蛇行状に配設されている。温水配管１０は、床暖房マット１内での閉回路とされているが、その途中に温水の交換や排水等のための排水口が設けられていてもよい。また、床暖房マット１の内部は、断熱材や防水加工が施されていてもよい。
【００２６】
上記加熱装置２は、部屋内で邪魔にならないように上記床暖房マット１の隅部に配置され、この加熱装置２が配置された床暖房マット１の部分が熱交換部となる。この加熱装置２は、電磁誘導加熱方式とするものであって、熱交換ユニット３と、ＩＨユニット４（電磁誘導ユニット）とを備え、この熱交換ユニット３が上記床暖房マット１に嵌め込まれている。そして、この熱交換ユニット３によって上記熱交換部が構成される。
【００２７】
図２は、床暖房マット１の熱交換部を示す。図２に示すように、上記熱交換部を構成する熱交換ユニット３は、蛇行状に形成されて温水の熱交換を行う熱交換用配管３１と、熱交換用配管３１の入水側に設けて温水の入水温度を検知する入水温センサＳ１と、熱交換用配管３１の出水側に設けて温水の出水温度を検知する出水温センサＳ２と、熱交換用配管３１の入水側に設けて温水を温水配管１０に循環させる循環ポンプＰ（循環器）とを備える。なお、上記熱交換用配管３１の両端の口部は、それぞれ上記温水配管１０に接続される。
【００２８】
図３は、上記加熱装置２の断面構成を示す。図３に示すように、加熱装置２は、床下に配置された熱交換ユニット３と、床上に配置されたＩＨユニット４とを備える。
上記熱交換ユニット３は、ケーシング３０内に、上述した熱交換用配管３１、入水温センサＳ１、出水温センサＳ２、循環ポンプＰの他に、上記ＩＨユニット４により電磁誘導加熱される熱交換プレート３２（熱交換体）と、この熱交換ユニット３の動作制御を行う運転制御盤３３とを備える。
【００２９】
熱交換プレート３２は、電磁誘導によって加熱される鉄等の金属により形成される。そして、熱交換プレート３２は、熱交換用配管３１の上部に密着するように設置され、この熱交換用配管３１への熱伝達を行い、温水の加熱を行う。
【００３０】
運転制御盤３３は、入水温センサＳ１、出水温センサＳ２、循環ポンプＰ等の動作制御を行う制御部と、上記ＩＨユニット４との間で無線通信する通信機能部とを備える。そして、運転制御盤３３は、入水温センサＳ１からの入水温度情報や、出水温センサＳ２からの出水温度情報が入力され、これらの温度情報を上記通信機能部を通じてＩＨユニット４に送信する。また、この運転制御盤３３は、上記通信機能部を通じてＩＨユニット４からの指令により、循環ポンプＰの稼動制御を行う。
【００３１】
上記ＩＨユニット４は、熱交換ユニット３とは別体の独立に構成されて自由に移動させることができ、床暖房運転時には床板Ｆを挟んで上記熱交換ユニット３と対向する位置の床上に載置される。そして、このＩＨユニット４は、ケーシング４０内に、ＩＨプレート４２（電磁誘導体）と、操作制御ボックス４３とを備える。
【００３２】
ＩＨプレート４２は、上記熱交換ユニット３の熱交換プレート３２に対向配置される磁力発生コイル４４と、この磁力発生コイル４４の上側に配置される磁性体４５とを備える。磁力発生コイル４４は、外部電源から供給される高周波電流によって磁界を発生させ、この磁界の磁力線Ｇを床下の熱交換プレート３２に通過させることにより、熱交換プレート３２を電磁誘導加熱させる。すなわち、磁力発生コイル４４による磁力線Ｇが熱交換プレート３２を通過すると、熱交換プレート３２にうず電流が流れ、熱交換プレート３２の持つ電気抵抗でジュール熱が発生し、熱交換プレート３２自身が発熱することとなる。
【００３３】
また、上記ＩＨプレート４２は、磁力発生コイル４４において熱交換プレート３２とは反対側の上側に磁性体４５を配置させ、上向きに延びる磁力線Ｇをこの磁性体４５に通過させて収束させることにより、熱交換プレート３２配置側の下向きの磁束密度が多くなるようにしている。これにより、熱交換プレート３２には多くの磁力線Ｇが通過され、熱交換プレート３２の電磁誘導加熱量を大きくすることができる。この磁性体４５は、例えば、鉄等の強磁性材料等により形成される。
【００３４】
操作制御ボックス４３は、ＩＨプレート４２の制御（磁力発生コイル４４への印加電流の制御等）を行う制御部と、上記熱交換ユニット３との間で無線通信する通信機能部とを備える。また、ＩＨユニット４には、床表面温度を検知する床温センサＳ３が設置され、この床表面温度情報が上記操作制御ボックス４３に入力される。なお、ＩＨユニット４には、この床暖房される部屋の室温を検知する室温センサが設置されてこの室温情報も上記操作制御ボックス４３に入力されるようにしてもよい。
【００３５】
また、ＩＨユニット４の上面等には、操作パネル部４１が設けられており、この操作パネル部４１には、運転ボタン、暖房温度設定スイッチ、床表面温度等の表示部、暖房運転開始の予約タイマースイッチ、暖房運転終了のオフタイマースイッチ等が設けられている。そして、この操作パネル部４１は、上記操作制御ボックス４３と接続されており、操作パネル部４１からの各種の運転設定に応じて操作制御ボックス４３がこの床暖房装置の運転制御を行うようにしている。なお、この操作パネル部４１における各種の運転設定は、別体のリモコン５からも無線操作できるようにしている。また、ＩＨユニット４は、電源コード４６により外部電源と接続されてＩＨユニット４内の各部に電力供給を行うようにしている。
【００３６】
一方、この床暖房装置は、床下の熱交換ユニット３に対する電力供給のための給電装置６を備える。図４は、この給電装置６の概略構成を示す。図４に示すように、この給電装置６は、床下に配置する受電コイル６１と、床上に配置する送信コイル６２とを備える。受電コイル６１と送信コイル６２とは、床板Ｆを挟んで対向配置され、床下の受電コイル６１は、熱交換ユニット３内に設けられ、床上の送信コイル６２は、ＩＨユニット４内に設けられている。なお、送信コイル６２は、外部電源Ｖから電力供給されている。
【００３７】
そして、上記送信コイル６２に外部電源Ｖからの交流電圧を印加すると、送信コイル６２から発生する磁力線ｇが受電コイル６１を貫通し、受電コイル６１に誘導起電力が発生する。この受電コイル６１に発生した誘導起電力は、床下側の熱交換ユニット３における循環ポンプＰに給電される他、運転制御盤３３、入水温センサＳ１、出水温センサＳ２等にも給電される。これにより、床下側では、直接の電源が無くても、上記受電コイル６１から電力供給を受け、循環ポンプＰを運転させて温水を温水配管１０内に循環させることができ、また、運転制御盤３３、入水温センサＳ１、出水温センサＳ２等を動作させることができる。従って、床下側には新たに外部電源を設ける必要がなく、床暖房装置の設置施工が簡易に行える。
【００３８】
以上の床暖房装置を部屋内に施工するには、フローリング等の床板Ｆを敷設する前の床部に上記床暖房マット１を敷設する。そして、加熱装置２の一部を構成すると共に熱交換部となる上記熱交換ユニット３を併せて床暖房マット１の所定位置に設置する。次いで、この床暖房マット１上に床板Ｆを敷設すれば、床暖房装置を備えた部屋の施工が完了する。その後、この床暖房装置を暖房運転させる際は、別体となったＩＨユニット４を上記熱交換ユニット３と対向するように床上に置いて、このＩＨユニット４からの運転操作によって床暖房マット１からの放熱を行わせて床暖房運転がなされる。
【００３９】
次に、この床暖房装置の運転動作を説明すると、まずは、床下の熱交換ユニット３と対向する床上の所定位置にＩＨユニット４を配置させ、ＩＨユニット４の電源コード４６を電気コンセント（外部電源）に接続する。そして、操作パネル部４１またはリモコン５からの操作によって運転ボタンをＯＮする。すると、ＩＨユニット４の操作制御ボックス４３から熱交換ユニット３の運転制御盤３３を介して指令を受けた循環ポンプＰが稼動されると共に、ＩＨプレート４２から磁力線Ｇが発生され、床下の熱交換ユニット３における熱交換プレート３２が電磁誘導加熱される。この熱交換プレート３２の電磁誘導加熱により、熱交換用配管３１の温水が暖められ、この温水が循環ポンプＰの稼動によって温水配管１０内に循環される。これにより、温水配管１０内を循環する温水の熱が床暖房マット１から床に放熱されて床暖房が実行される。なお、循環ポンプＰは、上記運転ボタンのＯＮにより上記給電装置６を通じて電力供給される。
【００４０】
また、床暖房温度の制御は、温水配管１０内を循環する温水の流量が一定の条件下において、床暖房マット１の熱交換部における入水温センサＳ１で検出された温水の入水温度が、使用者の設定した床暖房設定温度またはこの床暖房設定温度と一定温度差のある設定温度（目標温度）となるようにＩＨプレート４２からの磁界の強さを調節し、熱交換プレート３２の発熱量を可変制御することにより行われる。すなわち、入水温度が上記目標温度よりも低い場合は、ＩＨプレート４２に印加する電流量を多くして磁界の強さを強くし、熱交換プレート３２の発熱量を大きくする。一方、入水温度が上記目標温度よりも高い場合は、ＩＨプレート４２に印加する電流量を少なくして磁界の強さを弱くし、熱交換プレート３２の発熱量を小さくする。
【００４１】
なお、床暖房温度の制御は、床暖房マット１の熱交換部における出水温センサＳ２で検出された温水の出水温度が上記目標温度となるように上述した熱交換プレート３２の発熱量を可変制御してもよいし、また、床温センサＳ３で検出された床面温度が上記目標温度となるように上述した熱交換プレート３２の発熱量を可変制御してもよいし、また、室温センサ（図示せず）で検出された室温が上記目標温度となるように上述した熱交換プレート３２の発熱量を可変制御してもよい。
【００４２】
さらには、この床暖房温度の制御は、上述した各温度センサ（Ｓ１〜Ｓ３等）からの温度情報に基づいた熱交換プレート３２の発熱量制御に代えて、上記の熱交換用配管３１あるいは温水配管１０に流量調節弁（図示せず）を設け、この流量調節弁の開度調整により温水配管１０内を流れる温水の流量を調節することで床暖房マット１からの放熱量を可変制御するようにしてもよい。すなわち、温水配管１０内を流れる温水の流量を多くする程、床暖房マット１からの放熱量が多くなって暖房温度が上昇することとなる。
【００４３】
また、さらには、この床暖房温度の制御は、上述した各温度センサ（Ｓ１〜Ｓ３等）からの温度情報に基づいた熱交換プレート３２の発熱量の可変制御と共に、上述した流量調節弁の開度調整による温水配管１０内を流れる温水の流量制御を行うことでもよい。
【００４４】
そして、床暖房温度の制御は、上記出水温センサＳ２で検出される温水の出水温度が監視されているので、熱交換部から出水される温水の異常温度上昇（例えば、６０℃以上等）が検出されると上記熱交換プレート３２の発熱量制御または温水配管１０内の温水の流量制御をして床板表面の異常温度上昇を未然に防ぐことができ、万一でも使用者が低温火傷を負うことがない。
以上の床暖房温度の制御は、ＩＨユニット４における操作制御ボックス４３の制御部によってなされる。
【００４５】
以上のように、上記実施の形態による床暖房装置によれば、加熱装置２が床暖房マット１を有する部屋に設置され、そのＩＨユニット４からの電磁誘導により熱交換ユニット３の熱交換プレート３２が電磁誘導加熱されることによって温水配管１０内の温水を加熱するようにしたので、床暖房マット１には外部熱源からの温水供給を必要とせず、温水供給のための配管設備や、部屋から外部熱源への制御信号を送るための配線が不要となる。従って、部屋内での施工となるから、床暖房装置の施工を簡易に行え、また、既設住宅にも後付けで床暖房装置の施工を簡易に行うことができる。そして、加熱装置２を電磁誘導加熱方式としても、温水を温水配管１０内に循環させることで、広範囲の効率的な床暖房を容易に実現することができる。
【００４６】
また、温水供給のための配管設備が不要となるので、この配管設備での無駄な放熱を無くすことができ、熱効率のよい床暖房を実現することができる。
【００４７】
また、加熱装置２を熱交換ユニット３とＩＨユニット４とに分離できる電磁誘導加熱方式とするので、熱交換ユニット３を床暖房マット１に設置する一方、ＩＨユニット４を床暖房の必要なときだけ熱交換ユニット３と対向するように配置させることができる。従って、冬季には、ＩＨユニット４を床上の所定位置に置くことで床暖房運転が直ちに行え、そして、夏季には、ＩＨユニット４を片付けて部屋内を見栄えよく、しかも広く有効に使用することができる。
【００４８】
また、温水配管１０を床暖房マット１内での閉回路とするので、温水は温水配管１０内を循環するのみとなり、循環ポンプＰは、温水を温水配管１０内に循環させるだけの小出力で済み、循環ポンプＰにかかる負荷が軽減される。従って、循環ポンプＰの運転消費電力を抑えることができ、しかも、循環ポンプＰ自体を小型化することができる。
【００４９】
また、温水配管１０を床暖房マット１内での閉回路とすることで、温水の熱が全て床暖房マット１からの放熱による床暖房に活用される。従って、無駄な放熱がないから、熱効率のよい床暖房を実現でき、しかも、熱交換プレート３２を電磁誘導加熱するためのＩＨユニット４は、小出力で済み、その運転消費電力を抑えることができ、しかも、ＩＨユニット４自体を小型化することができる。
【００５０】
また、床下に受電コイル６１を配置すると共に床上に外部電源Ｖに接続される送信コイル６２を上記受電コイル６１と対向配置し、この受電コイル６１に発生した誘導起電力により床下側の熱交換ユニット３に電力供給を行う給電装置６を備えるので、床下側には新たに外部電源を設置しなくてよい。従って、床下側では外部電源やそのための配線が不要となり、床暖房マット１や熱交換ユニット３を床下に設置する場合の施工が簡単となる。
【００５１】
また、熱交換ユニット３とＩＨユニット４とは互いに無線で通信する通信機能部を備えるので、熱交換ユニット３とＩＨユニット４とを配線で接続しなくてもよい。従って、熱交換ユニット３とＩＨユニット４との間の配線が不要となり、熱交換ユニット３を床下に設置する場合の施工が簡単となる。
【００５２】
また、床暖房運転の温度制御は、ＩＨユニット４の操作制御ボックス４３においては、入水温センサＳ１、出水温センサＳ２、床温センサＳ３、または室温センサ等の検出温度に基づいて使用者が設定した床暖房設定温度に従った制御を行うので、床面温度を床暖房設定温度に維持させることができ、従って、この床暖房装置による床暖房温度を使用者による所望の床暖房設定温度に確実に維持・調節することができる。しかも、出水温センサＳ２の出水温度を監視し、温水の異常温度上昇（例えば、６０℃以上）が検出されるとＩＨプレート４２の出力または温水の流量を制御して床板表面の異常温度上昇を未然に防ぐことができ、万一でも使用者が低温火傷を負うことがない。
なお、本発明は、上記実施の形態に限定されず、例えば、次のような変更が可能である。
【００５３】
（１）図５に示すように、熱交換プレート３２に垂下する多数のフィンｆを設け、このフィンｆに上記熱交換用配管３１を貫通させ、これらフィンｆからも熱交換用配管３１が受熱されて温水の熱交換を行わせるようにしてもよい。
【００５４】
（２）図６に示すように、熱交換用配管３１に代えて、タンクｔを設け、このタンクｔ上部に上記熱交換プレート３２を取り付けてタンクｔ内の温水を熱交換プレート３２によって直に加熱するようにしてもよい。
【００５５】
（３）また、上記熱交換用配管３１は、円筒状であるが、これに代えて、ＩＨプレート４２と対向する上部を平面状とする角型熱交換用配管としたり、あるいはＩＨプレート４２と対向する上部を偏平状とする楕円状熱交換用配管とし、このような熱交換用配管の上部をＩＨプレート４２により電磁誘導加熱させて温水の熱交換を行うようにしてもよい。このような場合、上記熱交換プレート３２を配置させなくてもよく、角型熱交換用配管や楕円状熱交換用配管の上部が熱交換プレート３２に代わって熱交換体となる。
【００５６】
（４）また、床暖房マット１の上部をフローリング等の床板材にて構成し、この床暖房マット１を床上に敷き詰めるようにして設置するようにしてもよい。これにより、既存の床上面にこの床暖房マット１を敷設するだけの施工で床暖房装置を設置できるから、床暖房装置の設置施工が一段と簡易となる。
【００５７】
（５）また、床暖房マット１にはその複数箇所に熱交換ユニット３を設置するようにし、その複数設置した熱交換ユニット３のいずれかに対向させてＩＨユニット４を配置し、床暖房運転を行うようにしてもよい。これにより、後に家具を配置替えした場合等でも、ＩＨユニット４を複数箇所のうちの適当な配置位置に置いて床暖房運転を行うことができ、部屋内を一層有効に使用することができる。
【００５８】
（６）その他、上記ＩＨプレート４２は、上記磁性体４５を設けない構成でもよい。
【図面の簡単な説明】
【００５９】
【図１】本発明の実施の形態による床暖房装置の概略構成を示す平面図である。
【図２】床暖房装置における熱交換部を示す平面図である。
【図３】床暖房装置における加熱装置の概略構成を示す断面図である。
【図４】床暖房装置における床下側への電力供給を行うための給電装置の概略構成を示す模式図である。
【図５】他の実施の形態の床暖房装置における加熱装置の概略構成を示す断面図である。
【図６】更に他の実施の形態の床暖房装置における加熱装置の概略構成を示す断面図である。
【図７】従来の床暖房装置の概略構成を示す模式図である。
【図８】他の従来の床暖房装置の概略構成を示す断面図である。
【符号の説明】
【００６０】
１  床暖房マット
２  加熱装置
３  熱交換ユニット
４  ＩＨユニット（電磁誘導ユニット）
５  リモコン
６  給電装置
１０  温水配管（循環経路）
３１  熱交換用配管
３２  熱交換プレート（熱交換体）
３３  運転制御盤
４１  操作パネル部
４２  ＩＨプレート（電磁誘導体）
４３  操作制御ボックス
４４  磁力発生コイル
４５  磁性体
６１  受電コイル
６２  送信コイル
Ｆ  床板
Ｇ  磁力線
Ｓ１  入水温センサ
Ｓ２  出水温センサ
Ｓ３  床温センサ
Ｐ  循環ポンプ（循環器）
【図１】
2005037045.tif 000003
【図２】
2005037045.tif 000004
【図３】
2005037045.tif 000005
【図４】
2005037045.tif 000006
【図５】
2005037045.tif 000007
【図６】
2005037045.tif 000008
【図７】
2005037045.tif 000009
【図８】
2005037045.tif 000010